(57)【要約】【課題】輝度むらを軽減させることのできる拡散シートを提供すること。【解決手段】本発明の拡散シートは、シート面に垂直に光線を入射した場合の出射光の拡散角度が前記シート面内の所定の方向に沿って周期的に変化する拡散シートであって、前記所定の方向におけるシート面内の相対位置を横軸にとり、前記シート面内の相対位置での拡散角度を縦軸にとった拡散角度分布図において、前記拡散角度の最大値と最小値との差が４０度以上８０度以下であることを特徴とする。【選択図】図３
2010210828.tif 000002
【特許請求の範囲】
【請求項１】
シート面に垂直に光線を入射した場合の出射光の拡散角度が前記シート面内の所定の方向に沿って周期的に変化する拡散シートであって、前記所定の方向におけるシート面内の相対位置を横軸にとり、前記シート面内の位置での拡散角度を縦軸にとった拡散角度分布図において、前記拡散角度の最大値と最小値との差が４０度以上８０度以下であることを特徴とする拡散シート。
【請求項２】
前記拡散角度分布図において、全領域における拡散角度が０．１度以上１２０度以下の範囲内であることを特徴とする請求項１に記載の拡散シート。
【請求項３】
前記拡散角度分布図における拡散角度の最小値が、０．１度以上４０度以下であることを特徴とする請求項１又は請求項２に記載の拡散シート。
【請求項４】
前記拡散角度は、前記拡散シート面に形成された凹凸構造により生じることを特徴とする請求項１から請求項３のいずれかに記載の拡散シート。
【請求項５】
前記凹凸構造が干渉露光によるスペックルパターンを用いて形成されていることを特徴とする請求項１から請求項４のいずれかに記載の拡散シート。
【請求項６】
２つ以上の光源と、前記光源の上方に配設される請求項１から請求項５のいずれかに記載の拡散シートと、を備えることを特徴とする光源ユニット。
【請求項７】
前記光源は線状光源であることを特徴とする請求項６に記載の光源ユニット。
【請求項８】
前記光源は点状光源であることを特徴とする請求項６に記載の光源ユニット。
【請求項９】
前記拡散シートの拡散角度分布の周期と、前記拡散シートの入光面における照度分布の周期とが略等しいことを特徴とする請求項６から請求項８のいずれかに記載の光源ユニット。
【請求項１０】
前記拡散シートの下方に配置され、内部に拡散剤を含有する拡散板と、前記光源の下方に配置される反射シートと、を備えることを特徴とする請求項６から請求項９のいずれかに記載の光源ユニット。
【請求項１１】
前記拡散シートの上方に配置されるレンズシートを備えることを特徴とする請求項６から請求項１０のいずれかに記載の光源ユニット。
【請求項１２】
前記拡散シートの上方に配置されるプリズムシートを備えることを特徴とする請求項６から請求項１１のいずれかに記載の光源ユニット。
【請求項１３】
前記拡散シートの上方に配置され、内部に拡散剤を含有する拡散板を備えることを特徴とする請求項６から請求項１２のいずれかに記載の光源ユニット。
【請求項１４】
液晶表示パネルと、前記液晶表示パネルに光を供給する請求項６から請求項１３のいずれかに記載の光源ユニットと、を備えることを特徴とする液晶表示装置。
【発明の詳細な説明】
【技術分野】
【０００１】
本発明は、液晶表示装置等の背面照明（back lighting）に用いられる拡散シートに関する。
【背景技術】
【０００２】
現在、液晶表示装置は、携帯電話、ＰＤＡ端末、デジタルカメラ、テレビ、パーソナルコンピュータ用ディスプレイ、ノートパソコンなどの幅広い分野で利用されている。液晶表示装置においては、例えば、液晶表示パネルの背後にバックライトユニットのような光源ユニットを配置し、この光源ユニットからの光を液晶表示パネルに供給することにより、画像を表示する。このような液晶表示装置に用いられる光源ユニットは、その表示画像を見やすくするために、液晶表示パネルに均一な光を供給するだけでなく、できるだけ多くの光を供給することが要求される。つまり、光源ユニットは、光拡散性に優れると共に高い輝度が得られるという光学特性が要求される。
【０００３】
従来の光源ユニットは、例えば、液晶表示パネルに入射する光の分布をパネル全体にわたって均一にするために、導光板或いは拡散板に凹凸形状を付与する手法が用いられていた。前記形状を付与する方法としては、金型を用いて樹脂を射出成形する手法や、ダイヤモンド刃によって凹凸構造をロールに加工し、それを用いて押出成形する手法がある。
【０００４】
ここで、前記のような機械的な凹凸形成方法は多くの時間が掛かり、作製費用が高くなるという問題があった。また、前記のような凹凸形成方法では、数十μｍ程度の構造が限界であることや、形状の均一性を高めることが容易ではないという問題があった。これに対して、レーザービームのスペックルによって感光性媒体に凹凸形状を記録し、パターン転写用の金型を製造し、この金型を用いて、直下型の大型液晶表示装置用の導光板表面に凹凸を形成し、ホログラム導光板とする発明が開示されている（特許文献１  図４１）。
【先行技術文献】
【特許文献】
【０００５】
【特許文献１】特開２００１−２３４２２号公報
【発明の概要】
【発明が解決しようとする課題】
【０００６】
しかしながら、近年は、液晶表示装置の薄型化が進み、光源と、該光源光を拡散させるための光学シート（ホログラム導光体等）との間の距離が短くなっている。また、コスト低減及び消費電力低減のため、液晶表示装置の光源数を削減する手法も用いられている。ここで、従来の光源と比較し、光源のピッチ（ｐ）と光源−光学シート間距離（ｈ）の比（ｐ／ｈ）が大きくなるほど、つまり、ｈが小さくなるほど（図９（ａ）のｈ’）、及び／或いは、ｐが大きくなる（図９（ｂ）のｐ’）ほど、バックライトの輝度むらが顕著になる。しかしながら、特許文献１に開示されている従来の方法では、最適な拡散角度の分布範囲が規定されていないため、十分に輝度むらを軽減させることができず、液晶表示装置の薄型化や、光源数の削減に対応できない。
【０００７】
本発明はかかる点に鑑みてなされたものであり、輝度むらを軽減させることができる拡散シートを提供することを目的とする。
【課題を解決するための手段】
【０００８】
本発明の拡散シートは、シート面に垂直に光線を入射した場合の出射光の拡散角度が前記シート面内の所定の方向に沿って周期的に変化する拡散シートであって、前記所定の方向におけるシート面内の相対位置を横軸にとり、前記シート面内の相対位置での拡散角度を縦軸にとった拡散角度分布図において、前記拡散角度の最大値と最小値との差が４０度以上８０度以下であることを特徴とする。
【０００９】
本発明の拡散シートにおいては、前記拡散角度分布図において、前記シート面内の全領域における拡散角度が、０．１度以上１２０度以下の範囲内であることが好ましい。
【００１０】
本発明の拡散シートにおいては、前記拡散角度の最小値が、０．１度以上４０度以下の範囲内であることが好ましい。
【００１１】
本発明の拡散シートにおいては、前記拡散角度は、前記拡散シート面に形成された凹凸構造により生じることが好ましい。
【００１２】
本発明の拡散シートにおいては、前記凹凸構造が干渉露光によるスペックルパターンを用いて形成されていることが好ましい。
【００１３】
本発明の光源ユニットにおいては、２つ以上の光源と、前記光源の上方に配設される上記拡散シートを備えることが好ましい。
【００１４】
本発明の光源ユニットにおいては、上記光源が線状光源であることが好ましい。
【００１５】
本発明の光源ユニットにおいては、上記光源が点状光源であることが好ましい。
【００１６】
本発明の光源ユニットにおいては、前記拡散シートの拡散角度分布の周期と、前記拡散シートの入光面における照度分布の周期とが略等しいことが好ましい。
【００１７】
本発明の光源ユニットにおいては、前記拡散シートの下方に配置され、内部に拡散剤を含有する拡散板と、前記光源の下方に配置される反射シートと、を備えることが好ましい。
【００１８】
本発明の光源ユニットにおいては、前記拡散シートの上方に配置されるレンズシートを備えることが好ましい。
【００１９】
本発明の光源ユニットにおいては、前記拡散シートの上方に配置されるプリズムシートを備えることが好ましい。
【００２０】
本発明の光源ユニットにおいては、前記拡散シートの上方に配置され、内部に拡散剤を含有する拡散板を備えることが好ましい。
【００２１】
本発明の液晶表示装置は、液晶表示パネルと、前記液晶表示パネルに光を供給する上記光源ユニットと、を備えることが好ましい。
【発明の効果】
【００２２】
本発明の拡散シートによれば、シート面に垂直に光線を入射した場合の出射光の拡散角度が前記シート面内の所定の方向に沿って周期的に変化する拡散シートであって、前記所定の方向におけるシート面内の相対位置を横軸にとり、前記シート面内の相対位置での拡散角度を縦軸にとった拡散角度分布図において、前記拡散角度の最大値と最小値との差が４０度以上８０度以下であるので、シート面内の各部分間の拡散特性の差を効果的に利用することが可能となり、輝度むらの少ない光源ユニットを提供することができる。
【図面の簡単な説明】
【００２３】
【図１】本発明の実施の形態に係る拡散シートを正面から見た場合の模式図である。
【図２】本発明の実施の形態に係る拡散シートを正面から見た場合の模式図である。
【図３】（ａ），（ｂ）本発明の実施の形態に係る拡散シートにおける、拡散角度の定義を示す図である。
【図４】（ａ）〜（ｆ）は、本発明の実施の形態に係る拡散シートにおける拡散角度の、シート面内の相対位置に対する分布を示す図である。
【図５】（ａ），（ｂ）は、本発明の実施の形態に係る光源ユニットの構成を示す図である。
【図６】本発明の実施の形態に係る光源ユニットの構成を示す図である。
【図７】本発明の実施の形態に係る拡散シートにおける拡散角度の、シート面内の相対位置に対する分布を示す図である。
【図８（ａ）（ｂ）（ｃ）（ｄ）】本発明の実施の形態に係る光源ユニットの構成の他の例を示す図である。
【図８（ｅ）（ｆ）（ｇ）】本発明の実施の形態に係る光源ユニットの構成の他の例を示す図である。
【図９】（ａ），（ｂ）は、本発明の実施の形態に係る光源ユニットの断面構造を示す図である。
【発明を実施するための形態】
【００２４】
以下、本発明の実施の形態について、添付図面を参照して詳細に説明する。
図１は、本発明の拡散シートを正面から見た場合の模式図であり、高拡散角度領域１と低拡散角度領域２が、前記拡散シート面内のｘ軸方向において周期的に存在すること、すなわち、拡散角度が周期的に変化することを示している。図２は、本発明の拡散シートの別の形態について正面から見た場合の模式図であり、高拡散角度領域３と低拡散角度領域４が、前記シート面内のｘ軸方向及びｙ軸方向において周期的に存在すること、すなわち、拡散角度が周期的に変化することを示している。
【００２５】
図３（ａ）は、本発明の拡散角度の定義を示した図である。本発明における「拡散角度」とは、透過光強度がピーク強度の半分に減衰する角（半値角）の２倍の角度（ＦＷＨＭ：Full Width Half Maximum）をいう。この拡散角度は例えば、日本電色工業株式会社製の変角光度計（ＧＣ  ５０００Ｌ）で、拡散シート１５の凹凸面を入射面とし、前記凹凸面の法線方向に入射した光に対する透過光強度の角度分布を測定することによって求めることができる。ここで、拡散シートの法線方向とは、図３（ｂ）に示す方向を指す。
【００２６】
本発明の拡散シート面内における前記拡散角度は、面内の所定の方向に沿って周期的に変化し、かつ、前記所定の方向におけるシート面内の相対位置を横軸にとり、前記シート面内の位置における拡散角度を縦軸にとったときの拡散角度分布図において、前記拡散角度の最大値と最小値との差が、４０度以上８０度以下であることを特徴とする。前記拡散角度差を４０度以上とすることにより、十分な拡散特性の差が得られ、光源ユニットの薄型化や光源数削減などにおける高い輝度むら解消要求に応えることができる。また、前記拡散角度差を８０度以下とし、前記シート面内の位置の変化に対する拡散特性の変化量を抑えることにより、前記拡散角分布を精細に制御することが可能となるため、輝度むら解消効果が高くなる。これにより、拡散特性の差を好ましい範囲に設定することが可能となり、輝度むらの少ない光源ユニットが得られる。特に、液晶表示装置の薄型化や光源数の削減を目的とした際に、高い輝度むら解消性能を示すため、好ましく用いられる。
【００２７】
本発明では、輝度が一定となるように、拡散角度を最適化することで、輝度むらの軽減を図っている。図４（ａ）〜図４（ｆ）は、本発明の拡散シートにおいて、シート面内の相対位置を横軸とし、前記シート面内の位置における拡散角度を縦軸とした拡散角度分布図の例である。図４（ａ）から図４（ｆ）には、拡散角度が、直線状、直線と曲線の混合形状、或いは階段状に、変化している拡散シートの例が示されている。拡散角度の変化は、厳密に直線状、曲線状、階段状でなくてもよく、拡散角度の測定バラツキ等により、直線状、曲線状、階段状から若干はずれた形状や、直線と曲線の混合形状であってもよい。特に、拡散角度は、前記拡散シートの面内において、なめらかに変化することが好ましい（図４（ｂ），（ｃ），（ｆ））。
【００２８】
本発明の拡散シートの拡散角度は、０．１度から１２０度の範囲で制御することが好ましい。ここで、輝度の均一性をさらに向上させるために、拡散角度の差及び拡散角度の分布状態を調整することができる。特に、薄型化するために光源と拡散シートとの距離を近づけた場合（図９（ａ））や、光源同士の間隔を広げた場合（図９（ｂ））は輝度むらが大きくなるため、拡散角度の差は大きい方が好ましい。また、前記拡散角度は、高い正面輝度を得るために、０．１度以上１００度以下の範囲で制御されることが好ましく、０．１度から８０度の範囲で制御されることがより好ましい。特に、前記拡散シートを、表面にプリズム条列が形成された光学シートと併用した場合は、前記拡散角度が０．１度から７０度の範囲となるように形成され、前記拡散角度差が大きいことが、輝度むら解消及び輝度向上の観点から、好ましい。
【００２９】
また、本発明の拡散シートの拡散角度の最小値は、０．１度以上４０度以下の範囲で制御することが好ましい。また、前記拡散角度の最小値は、輝度むら解消の観点から、０．１度以上３０度以下で制御されることがより好ましく、０．１度以上２０度以下で制御されることが最も好ましい。
【００３０】
このような拡散角度は、拡散シートの表面に多数の凹凸構造を有することにより実現することができる。凹凸構造とは、例えば、表面に多数の突起部が設けられた構造である。突起部の形状は、略円錐状、略球状、略楕円体状、略レンチキュラーレンズ状、略放物線状のいずれでもよく、各突起部は、規則的に配列していても、不規則に配列していてもよい。また、突起部間は連続的な曲面でつながっていてもよい。また、不規則な凹凸が連続的な曲面でつながっている擬似ランダム構造も、好ましく用いることができる。この擬似ランダム構造としては、非平面スペックルによって特徴付けられた微細な３次元構造であることが好ましい。
【００３１】
非平面スペックルによって特徴付けられた３次元構造は、機械加工では困難であった１０μｍ以下の微細な凹凸構造の形成に適している。特に、非平面スペックルを用いて凹凸を形成する方法は、拡散シート面内の領域において拡散角度を変えるような場合に、適した製法である。また、マイクロレンズのような等方的な形状や、レンチキュラーレンズのような異方的な形状も容易に形成することができる。この凹凸構造は、モアレ抑制などの観点から、高さ及びピッチが不規則であることが好ましい。
【００３２】
また、本発明では、拡散シートの出光面或いは入光面のどちら側に多数の凹凸構造が設けられていても良く、凹凸構造の設けられていない面側は、平滑面、凹凸面、マット面などであってもよい。輝度向上、及び輝度むら軽減の観点から、出光面側が凹凸面となっていることが好ましく、さらに入光面側が平滑面或いはマット面となっていることがより好ましい。なお、一般に拡散シートを積層する場合等に、傷つき防止のため、光学特性を損なわない範囲で、入光面に極微量のビーズを塗布する場合がある。このような場合も平滑面に含まれるものとする。
【００３３】
この凹凸形状を表面に有し、拡散シート面内の領域において拡散角度が変化するような拡散シートは、具体的には次のようにして製造することができる。まず、予め干渉露光により、レーザー光をレンズやマスクを介して感光性材料やフォトレジストに照射し、拡散角度が位置によって変化するようにスペックルパターンを形成させたサブマスタ型を作製する。レーザー照射システムを構成する部材間の距離やサイズを変えスペックルパターンの寸法、形状及び方向を調節することにより、拡散角度を制御し、異なる拡散角度をもつ凹凸構造を記録することができる。
【００３４】
一般に、拡散角度は、スペックルの平均サイズ及び形状に依存する。スペックルが小さければ拡散角度が大きい。また、前記凹凸の単位構造は等方性のものに限らず、異方性のものを形成することもでき、両者の複合された凹凸構造とすることもできる。スペックルが横方向の長円形であれば、角度分布の形は縦方向の長円形となる。このように拡散角度が位置によって変化するようなサブマスタ型を作製する。このサブマスタ型に電鋳などの方法で金属を被着してこの金属にスペックルパターンを転写してマスタ型を作製する。光透過性樹脂層に、上記マスタ型を用いて紫外線による賦形を行って光透過性樹脂層の光取り出し面にスペックルパターンを転写する。拡散角度を位置によって変えたこの拡散シートの詳細な製造方法については、特表２００３−５２５４７２号公報に開示されている。この内容は、全てここに含めておく。また、拡散角度は凹凸構造のピッチ、高さ、アスペクト比を変えて制御しても構わない。
【００３５】
次に、上述した本発明に係る拡散シートを用いた光源ユニットについて説明する。
図５（ａ）及び図５（ｂ）は、本発明の実施の形態に係る光源ユニットの概略構成を示す図である。本発明に係る光源ユニットは、基本的には、少なくとも二つの光源１１，１２と、前記光源１１，１２の上方に配設された本発明に係る拡散シート１５と、を具備する構成を採る。また、光源１１，１２の下方には、光を反射させるための反射シート１３が使用されることが好ましい。したがって、上記構成を有していれば、さらに、少なくとも一つの光学シート、拡散シート等を配設しても良い。
【００３６】
反射シートは、光を反射させることのできるものであれば、様々なものを用いることができる。例えば、ポリエステル、ポリカーボネートなどの樹脂を発泡させて内部に微細な空気の粒を入れシート状としたもの、２成分以上の樹脂を混合してシート状としたもの、屈折率の異なる樹脂層を積層したシート、などを用いることができる。また、前記反射シートは、表面に凹凸形状が形成されていても良い。これらには、必要に応じて、表面に無機微粒子などを添加したものを用いることができる。
【００３７】
光源ユニットには、複数の光源を用いている。光源としては、図５（ａ）に示すような冷陰極管（ＣＣＦＬ）１１などの線光源や、図５（ｂ）に示すようなＬＥＤ（発光ダイオード）１２、レーザーなどの点光源を用いることができる。この場合、前記光源１１，１２は本発明に係る拡散シート１５の入光面及び出光面に対して、直下に配列されている。
【００３８】
また、本発明に用いることのできる拡散シートとしては、測定方向によらず、ほぼ同じ拡散角度が得られる等方拡散シートと、測定方向によって、拡散角度が異なる異方拡散シートの両方を用いることができる。異方拡散シートとは、例えば、直交する２つの方向で拡散角度を測定した場合に、拡散角度が異なるような拡散シートである。
【００３９】
本発明の光源ユニットは、前記拡散シートの拡散角度分布の周期と、前記拡散シートの入光面における照度分布の周期とを等しくしたことを特徴とする。拡散シートの入光面における照度分布は、例えばELDIM社のEZContrastXL88などによって測定できる。具体的には、本発明の拡散シートが設けられる光源ユニットにおいて、前記拡散シートを除き、拡散シートの入光面が位置する箇所に装置の焦点を定めて全方位輝度分布を測定し、その結果から積算光束量（Integrated Intensity）を得る、ということを面内測定対象範囲において繰り返すことで測定する。
【００４０】
図６は、前記光源ユニットの例について、斜め上方から俯瞰した場合の模式図である。図６に示す光源ユニットにおいて、本発明の拡散シート１５は、前記拡散角度が周期的に分布し、さらに前記拡散角度が周期的に分布する方向と、ＣＣＦＬ光源１１の長手方向と直交する方向が一致するように配置されている。
【００４１】
図７は、本発明の光源ユニットにおいて、光源の間隔と、前記拡散シートの拡散角度分布周期を示した図である。図６において、前記拡散シートの入光面における照度分布の周期は光源同士の間隔と等しいため、本発明に係る拡散シート面内の拡散角度分布周期を、光源間隔と略等しくすることが好ましい。前記拡散シートの入光面の照度分布において、光源直上領域の照度が高い場合、輝度むら解消の観点から、前記拡散シートの高拡散角度領域を配置することが好ましい。図７には、前記拡散シートの入光面における照度分布に対応するように設計した、前記拡散角度分布の例が示されている。
【００４２】
本発明に関わる光源ユニットは、本発明の拡散シートを用いて他の配設構成、例えば図８（ａ）から図８（ｇ）に示す配設構成を採用することができる。図８（ａ）から図８（ｇ）は、いずれも本発明の実施の形態に係る光源ユニットの他の構成を示す図である。
【００４３】
図８（ａ）は、図５（ａ）に示す構成において、光源１１と本発明の拡散シート１５の間に拡散板１４を配置し、さらに本発明の拡散シート１５の直上に、レンズシート１６を配置してなる光源ユニットを示す。また、図８（ｂ）は、図５（ａ）に示す構成において、本発明の拡散シート１５の上方に、拡散板１４、レンズシート１６の順で配置してなる光源ユニットを示す。
【００４４】
拡散板１４としては、光を拡散させることのできるものであれば、様々なものを用いることができる。例えばポリスチレン、アクリル系樹脂、ポリカーボネート、シクロオレフィンポリマーなどに、光を拡散させる効果がある有機ポリマーや無機微粒子を添加したものを用いることができる。これらの拡散板１４は、光を拡散させ、下部光源の光を均一化させる効果がある。また、前記拡散板１４は、表面に凹凸形状が形成されていても良い。これらには、必要に応じて、前記有機ポリマーや無機微粒子を添加したものを用いることができる。また、２成分以上の樹脂を混合し、延伸してシート状とした拡散板も用いることができる。
【００４５】
レンズシート１６としては、アクリル系樹脂の球状ビーズがポリエステル系樹脂、トリアセチルセルロース、或いはポリカーボネート等のシート上に塗布されたシートを用いることができる。また、レンズシート１６としては、紫外線硬化樹脂による微細な凹凸構造がポリエステル系樹脂、トリアセチルセルロース、或いはポリカーボネート等の基材シート上に転写された形態として用いることができる。このようなレンズシート１６は、光を拡散させ均一化させる効果とともに、拡散板で拡散された光を集光する機能を有する。これらのレンズシート１６と、本発明の拡散シート１５とを組み合わせて使用することにより、輝度むらを軽減し、光源ユニットの薄型化や光源数の削減を実現することができる。
【００４６】
図８（ｃ）は、図５（ａ）に示す構成において、光源１１と本発明の拡散シート１５の間に拡散板１４を配置し、さらに本発明の拡散シート１５の上方に、アレイ状のプリズム配列構造を有する光学シート（以下、プリズムシートと略記）１７、反射型偏光シート１８の順で配置してなる光源ユニットを示す。また、図８（ｄ）は、図５（ａ）に示す構成において、光源１１と本発明の拡散シート１５の間に拡散板１４を配置し、さらに本発明の拡散シート１５の上方に、プリズムシート１７のプリズム配列方向を直交させて２枚配置し、さらにその上方にレンズシート１６を配置してなる光源ユニットを示す。
【００４７】
プリズムシート１７としては、表面に、断面形状が略三角形状、略台形状、略楕円状であるプリズム条列がアレイ状に配列しているような光学シートを用いることができる。前記断面形状の頂点を丸めた形状としたものも、耐擦傷性向上などの観点から、好ましく用いることができる。これらのプリズムシートとしては、紫外線硬化樹脂によるプリズム条列がポリエステル系樹脂、トリアセチルセルロース、或いはポリカーボネート等の基材シート上に転写された形態として用いることができる。このようなプリズムシート１７は再帰反射性を示すため、入射光を正面へ集光する機能を有する。このプリズムシートと、本発明の拡散シートとを組み合わせて使用することにより、輝度むらを軽減し、光源ユニットの薄型化や光源数の削減を実現することができる。
【００４８】
図８（ｅ）は、図５（ａ）に示す構成において、光源１１と本発明の拡散シート１５の間に拡散板１４を配置し、さらに本発明の拡散シート１５の上方に、レンズシート１６、プリズムシート１７、及び反射型偏光シート１８をこの順で配置してなる光源ユニットを示す。また、図８（ｆ）は、図５（ａ）に示す構成において、本発明の拡散シート１５の上方に、拡散板１４、レンズシート１６、プリズムシート１７、及び反射型偏光シート１８をこの順で配置してなる光源ユニットを示す。
【００４９】
図８（ｇ）は、図５（ｂ）に示す構成において、光源１２と本発明の拡散シート１５の間に拡散板１４を配置し、さらに本発明の拡散シート１５の上方に、レンズシート１６、プリズムシート１７、反及び射型偏光シート１８をこの順で配置してなる光源ユニットを示す。
【００５０】
これらの光源ユニットは、液晶表示パネルに光を供給することで、液晶表示装置としても用いることができる。
【００５１】
次に、本発明の効果を明確にするために行った実施例について説明するが、本発明はこれらに限定されるものではない。
【００５２】
実施例に示される拡散角度は、拡散シート凹凸面を入射面とし、前記凹凸面の法線方向に入射した光に対する透過光強度の角度分布を、変角光度計で測定した結果から算出している。例えば、５度は、どの方向の拡散角度も、５度であることを表す。
【００５３】
実施例及び比較例に記載した、シート面内において拡散角度分布を有するような拡散シートは、前記シート面内の一方向で拡散角度が周期的に変化し、さらに、前記拡散シートを含む光源ユニットにおいて、ＣＣＦＬ光源の長手方向と直交する方向と、前記拡散角度が周期的に変化する方向を一致させている。また、光源からの照度分布に対応するように前記拡散シート面内における拡散角度分布を設計し、照度が高い領域には前記拡散シートの拡散角度が高い領域を配置して用いた。
【００５４】
実施例１から実施例２、比較例１から比較例３において、光学シートとして実施例において記載がないものについて、すなわち、反射シート、拡散板、レンズシート、プリズムシート、反射型偏光シートについては、それぞれ、ポリエステル樹脂からなる白色反射シート（以下、ＲＳと略記）、ポリスチレンからなり、粒径２μｍ、真比重１．３５のシリコーン微粒子を拡散剤として１３０００ｐｐｍ含有する、厚さ１．５ｍｍの拡散板（以下、ＤＰと略記）、厚さ２５０μｍのＰＥＴ基材上に樹脂ビーズとバインダーが塗工されたレンズシート（以下、ＤＳと略記）、厚さ２５０μｍのＰＥＴ基材上に頂角９０度、ピッチ５０μｍのプリズム条列がＵＶ硬化性樹脂によって賦形されたプリズムシート（以下、プリズムシートと略記）、反射型偏光シート（以下、ＤＢＥＦと略記。３Ｍ社製）を用いた。
【００５５】
実施例１から実施例３、比較例１から比較例６については、光源ユニットの光源として、直径３．０ｍｍφ、長さ７１０ｍｍのＣＣＦＬ光源を用いた。前記ＣＣＦＬ光源の長手方向を並列に並べ、ＲＳと前記光源の径の中心との距離を３．８ｍｍとし、前記光源同士の間隔ｐが２３．７ｍｍとなるように１６本配置して輝度評価用の光源ユニットを作製した。輝度及び輝度むらは、コニカミノルタ製の２次元色彩輝度計（ＣＡ２０００）を使用し、光源ユニットから７５ｃｍ離して設置し、光源ユニットの中心部２０ｍｍ×１９０ｍｍの範囲で測定した平均輝度値を輝度とした。輝度むらはｘ軸（２０ｍｍ）方向の平均輝度値を求め、ｙ軸方向について、各々の点の輝度値を各々の点から±１１．８ｍｍ分の輝度平均値で割り返した値の標準偏差として輝度むらを求めた。
ここで、輝度むらの判定基準を下記のように３段階（◎、○、×）に分類した。
◎：Ｓ．Ｄ．  ≦０．００２
○：０．００２＜Ｓ．Ｄ．  ≦０．００４
×：０．００４＜Ｓ．Ｄ．
【００５６】
実施例１及び実施例２、比較例１から比較例３については、図８（ａ）に示すような基本構成を採る光源ユニットにおいて評価を行った。
【００５７】
（実施例１）
図８（ｅ）に示すように、光源上方にＤＰ、本発明の拡散シート、ＤＳ、プリズムシート、ＤＢＥＦと、をこの順で配置し、実施例１の光源ユニットを構成した。本発明の拡散シートは、拡散角度の最大値が７０度、最小値が１度で、拡散角度差が６９度であり、図４（ｂ）に示すように、前記拡散シート面内で滑らかに拡散角度が分布しているような拡散シートを、凹凸面が出光面となるように配置した。ここで、ＣＣＦＬ光源とＤＰの入光面との距離ｈを４．５ｍｍとした。実施例１の光源ユニットにおける輝度を測定し、輝度むらを上記の方法で算出した。その結果を下記表１に示す。
【００５８】
（実施例２）
図８（ｃ）に示すように、光源上方に、レンチキュラーレンズが賦形された拡散板、本発明の拡散シート、プリズムシート、ＤＢＥＦと、をこの順で配置し、実施例２の光源ユニットを構成した。実施例２において用いた拡散板は厚さ１．５ｍｍのポリスチレン製で、内部に２０００ｐｐｍの拡散剤を含有し、出光面に高さ１３０μｍ、ピッチ３２０μｍのレンチキュラーレンズが、ＣＣＦＬ光源の長手方向と平行方向に多数形成されている。本発明の拡散シートは、拡散角度の最大値が８０度、拡散角度の最小値が４０度で、拡散角度差は４０度であり、図４（ｂ）に示すように、前記拡散シート面内で滑らかに拡散角度が分布しているような拡散シートを、凹凸面が出光面となるように配置した。ここで、ＣＣＦＬ光源と拡散板の入光面との距離ｈを４．５ｍｍとした。実施例２の光源ユニットにおける輝度を測定し、輝度むらを上記の方法で算出した。その結果を下記表１に併記する。
【００５９】
（比較例１）
図８（ｅ）に示すように、光源上方に、ＤＰ、表面に非平面スペックルによって特徴付けられた凹凸構造を有する拡散シート、ＤＳ、プリズムシート、ＤＢＥＦと、をこの順で配置し、比較例１の光源ユニットを構成した。（比較例１）で用いた前記拡散シートは、拡散角度の最大値が４０度、最小値が５度で、拡散角度差が３５度であり、図４（ｂ）に示すように、前記拡散シート面内で滑らかに拡散角度が分布している。なお、前記拡散シートは、凹凸面が出光面となるように配置した。ここで、ＣＣＦＬ光源と前記拡散シートの入光面との距離ｈを４．５ｍｍとした。比較例１の光源ユニットにおける輝度を測定し、輝度むらを上記の方法で算出した。その結果を下記表１に示す。
【００６０】
（比較例２）
図８（ｅ）に示すように、光源上方に、ＤＰ、表面に非平面スペックルによって特徴付けられた凹凸構造を有する拡散シート、ＤＳ、プリズムシート、ＤＢＥＦと、をこの順で配置し、比較例２の光源ユニットを構成した。比較例２で用いた前記拡散シートは、拡散角度の最大値が１０５度、最小値が２０度で、拡散角度差が８５度であり、図４（ｂ）に示すように、前記拡散シート面内で滑らかに拡散角度が分布している。なお、前記拡散シートは、凹凸面が出光面となるように配置した。ここで、ＣＣＦＬ光源と前記拡散シートの入光面との距離ｈを４．５ｍｍとした。比較例２の光源ユニットにおける輝度を測定し、輝度むらを上記の方法で算出した。その結果を下記表１に示す。
【００６１】
（比較例３）
図８（ｅ）に示すように、光源上方に、ＤＰ、表面に干渉露光によるスペックルパターンを用いて形成された凹凸構造を有する拡散シート、ＤＳ、プリズムシート、ＤＢＥＦと、をこの順で配置し、（比較例３）の光源ユニットを構成した。比較例３で用いた前記拡散シートは、拡散角度が前記シート面内の全領域において７１度である。なお、前記拡散シートは、凹凸面が出光面となるように配置した。ここで、ＣＣＦＬ光源と前記拡散シートの入光面との距離ｈを４．５ｍｍとした。比較例３の光源ユニットにおける輝度を測定し、輝度むらを上記の方法で算出した。その結果を下記表１に示す。
【表１】
2010210828.tif 000003
【００６２】
表１より、図８（ｃ）に示すＤＰ／拡散シート／プリズムシート／ＤＢＥＦの構成、或いは、図８（ｅ）に示す拡散板／拡散シート／ＤＳ／プリズムシート／ＤＢＥＦの構成を持つ光源ユニットにおいて、本発明の拡散シートは、前記拡散角度差が４０度以上８０度以下の範囲内にない場合（比較例１，２，３）と比べ、輝度むらを軽減することができた。さらに、比較例３の構成において、ＣＣＦＬ光源の径の中心からＤＰの入光面までとの距離ｈを変化させていくと、ｈ＝１２．５のところで、実施例１、２と同等の輝度むらとなった。実施例１、２では、ｈ＝４．５であることを考慮すると、比較例１に比べて、ＣＣＦＬ光源の径の中心からＤＰの入光面までとの距離ｈを８ｍｍ短縮することができ（図９（ａ））、光源ユニットを薄型化できることがわかる。
【００６３】
実施例３、比較例４から比較例６については、図８（ｆ）に示すような基本構成を採る光源ユニットにおいて評価を行った。
【００６４】
（実施例３）
図８（ｆ）に示すように、光源上方に本発明の拡散シート、ＤＰ、ＤＳ、プリズムシート、ＤＢＥＦと、をこの順で配置し、実施例３の光源ユニットを構成した。本発明の拡散シートは、拡散角度の最大値が７０度、最小値が１度で、拡散角度差が６９度であり、図４（ｂ）に示すように、前記拡散シート面内で滑らかに拡散角度が分布しているような拡散シートを、凹凸面が出光面となるように配置した。ここで、ＣＣＦＬ光源と前記拡散シートの入光面との距離ｈを９．１ｍｍとした。実施例３の光源ユニットにおける輝度を測定し、輝度むらを上記の方法で算出した。その結果を下記表２に示す。
【００６５】
（比較例４）
図８（ｆ）に示すように、光源上方に、表面に非平面スペックルによって特徴付けられた凹凸構造を有する拡散シート、ＤＰ、ＤＳ、プリズムシート、ＤＢＥＦと、をこの順で配置し、比較例４の光源ユニットを構成した。比較例４で用いた前記拡散シートは、拡散角度の最大値が３０度、最小値が０．１度で、拡散角度差が３０度であり、図４（ｂ）に示すように、前記拡散シート面内で滑らかに拡散角度が分布している。なお、前記拡散シートは、凹凸面が出光面となるように配置した。ここで、ＣＣＦＬ光源と前記拡散シートの入光面との距離ｈを９．１ｍｍとした。比較例４の光源ユニットにおける輝度を測定し、輝度むらを上記の方法で算出した。その結果を下記表２に示す。
【００６６】
（比較例５）
図８（ｆ）に示すように、光源上方に、表面に非平面スペックルによって特徴付けられた凹凸構造を有する拡散シート、ＤＰ、ＤＳ、プリズムシート、ＤＢＥＦと、をこの順で配置し、比較例５の光源ユニットを構成した。比較例５で用いた前記拡散シートは、拡散角度の最大値が１００度、最小値が０．１度で、拡散角度差が１００度であり、図４（ｂ）に示すように、前記拡散シート面内で滑らかに拡散角度が分布している。なお、前記拡散シートは、凹凸面が出光面となるように配置した。ここで、ＣＣＦＬ光源と前記拡散シートの入光面との距離ｈを９．１ｍｍとした。比較例５の光源ユニットにおける輝度を測定し、輝度むらを上記の方法で算出した。その結果を下記表２に示す。
【００６７】
（比較例６）
図８（ｆ）に示すように、光源上方に、表面に干渉露光によるスペックルパターンを用いて形成された凹凸構造を有する拡散シート、ＤＰ、ＤＳ、プリズムシート、ＤＢＥＦと、をこの順で配置し、比較例６の光源ユニットを構成した。比較例６で用いた前記拡散シートは、拡散角度が全領域において７１度である。なお、前記拡散シートは、凹凸面が出光面となるように配置した。ここで、ＣＣＦＬ光源と前記拡散シートの入光面との距離ｈを９．１ｍｍとした。比較例６の光源ユニットにおける輝度を測定し、輝度むらを上記の方法で算出した。その結果を下記表２に示す。
【表２】
2010210828.tif 000004
【００６８】
表２より、図８（ｆ）に示す、拡散シート／ＤＰ／ＤＳ／ＢＥＦ／ＤＢＥＦの構成を持つ光源ユニットにおいて、本発明の拡散シートは、前記拡散角度差が４０度以上８０度以下の範囲内にない場合（比較例４，５，６）と比べ、輝度むらを軽減することができた。さらに、比較例６の構成において、ＣＣＦＬ光源の径の中心から前記拡散シート入光面までとの距離ｈを変化させていくと、ｈ＝１２．５のところで、実施例３と同等の輝度むらとなった。実施例３では、ｈ＝９．５であることを考慮すると、比較例６に比べて、ＣＣＦＬ光源の径の中心から前記拡散シートの入光面までとの距離ｈを３ｍｍ短縮することができ（図９（ａ））、光源ユニットを薄型化できることがわかる。
【００６９】
実施例４、比較例７から比較例８については、光源ユニットの光源として、直径３．４ｍｍφ、長さ７１０ｍｍのＣＣＦＬ光源を用いた。前記ＣＣＦＬ光源の長手方向を並列に並べ、ＲＳと前記光源の径の中心との距離を３．８ｍｍとし、前記光源同士の間隔ｐが４７．６ｍｍとなるように８本配置して輝度評価用の光源ユニットを作製した。輝度及び輝度むらは、コニカミノルタ製の２次元色彩輝度計（ＣＡ２０００）を使用し、光源ユニットから７５ｃｍ離して設置し、光源ユニットの中心部２０ｍｍ×１９０ｍｍの範囲で測定した平均輝度値を輝度とした。輝度むらはｘ軸（２０ｍｍ）方向の平均輝度値を求め、ｙ軸方向について、各々の点の輝度値を各々の点から±２３．８ｍｍ分の輝度平均値で割り返した値の標準偏差として輝度むらを求めた。
ここで、輝度むらの判定基準を下記のように３段階（◎、○、×）に分類した。
◎：Ｓ．Ｄ．  ≦０．００２
○：０．００２＜Ｓ．Ｄ．  ≦０．００４
×：０．００４＜Ｓ．Ｄ．
【００７０】
実施例４、比較例７から比較例８については、図８（ｅ）に示すような基本構成を採る光源ユニットにおいて評価を行った。
【００７１】
（実施例４）
図８（ｅ）に示すように、光源上方にＤＰ、本発明の拡散シート、ＤＳ、プリズムシート、ＤＢＥＦと、をこの順で配置し、実施例４の光源ユニットを構成した。本発明の拡散シートは、拡散角度の最大値が５０度、拡散角度の最小値が１度で、拡散角度差が４９度であり、図４（ｃ）に示すように、前記拡散シート面内で滑らかに拡散角度が分布しているような拡散シートを、凹凸面が出光面となるように用いた。ここで、ＣＣＦＬ光源とＤＰの入光面との距離ｈを１４．５ｍｍとした。実施例４の光源ユニットにおける輝度を測定し、輝度むらを上記の方法で算出した。その結果を下記表２に示す。
【００７２】
（比較例７）
図８（ｅ）に示すように、光源上方にＤＰ、表面に非平面スペックルによって特徴付けられた凹凸構造を有する拡散シート、ＤＳ、プリズムシート、ＤＢＥＦと、をこの順で配置し、比較例７の光源ユニットを構成した。比較例７で用いた前記拡散シートは、拡散角度の最大値が３０度、最小値が０．１度で、拡散角度差が３０度であり、図４（ｃ）に示すように、前記拡散シート面内で滑らかに拡散角度が分布している。なお、前記拡散シートは、凹凸面が出光面となるように配置した。ここで、ＣＣＦＬ光源と前記拡散シートの入光面との距離ｈを１４．５ｍｍとした。比較例７の光源ユニットにおける輝度を測定し、輝度むらを上記の方法で算出した。その結果を下記表３に示す。
【００７３】
（比較例８）
図８（ｅ）に示すように、光源上方にＤＰ、表面に非平面スペックルによって特徴付けられた凹凸構造を有する拡散シート、ＤＳ、プリズムシート、ＤＢＥＦと、をこの順で配置し、比較例８の光源ユニットを構成した。比較例８で用いた前記拡散シートは、拡散角度の最大値が１００度、最小値が０．１度で、拡散角度差が１００度であり、図４（ｃ）に示すように、前記拡散シート面内で滑らかに拡散角度が分布している。なお、前記拡散シートは、凹凸面が出光面となるように配置した。ここで、ＣＣＦＬ光源と前記拡散シートの入光面との距離ｈを１４．５ｍｍとした。比較例８の光源ユニットにおける輝度を測定し、輝度むらを上記の方法で算出した。その結果を下記表３に示す。
【００７４】
（比較例９）
図８（ｅ）に示すように、光源上方にＤＰ、表面に非平面スペックルによって特徴付けられた凹凸構造を有し、全領域に渡って拡散角度が４１度であるような拡散シート、ＤＳ、プリズムシート、ＤＢＥＦと、をこの順で配置し、比較例９の光源ユニットを構成した。なお、前記拡散シートは、凹凸面が出光面となるように用いた。ここで、ＣＣＦＬ光源とＤＰの入光面との距離ｈを１４．５ｍｍとした。比較例９の光源ユニットにおける輝度、輝度むらを上記の方法で測定した。その結果を下記表３に併記する。
【表３】
2010210828.tif 000005
【００７５】
表３より、図８（ｅ）に示すＤＰ／拡散シート／ＤＳ／プリズムシート／ＤＢＥＦの構成を持つ光源ユニットにおいて、本発明の拡散シートは、前記拡散角度差が４０度以上８０度以下範囲内にない場合（比較例７，８，９）と比べ、輝度むらを小さくすることができた。さらに、比較例９の構成において、ＣＣＦＬ光源の径の中心間距離ｐを変化させていくと、ｐ＝２３．７のところで、実施例４と同等の輝度むらとなった。実施例４では、ｐ＝４７．６であることを考慮すると、比較例９に比べて、ＣＣＦＬ光源の径の中心間距離ｐを約２倍に拡大することができ（図９（ｂ））、結果としてＣＣＦＬ光源の数を削減できることがわかる。
【００７６】
実施例５及び実施例６、比較例１０及び比較例１１において、光学シートとして特に記載がないものについて、すなわち、反射シート、拡散板、レンズシート、プリズムシート、反射型偏光シートについては、それぞれ、ポリエステル樹脂からなる白色反射シート（以下、ＲＳと略記）、ポリスチレンからなり、粒径２μｍ、真比重１．３５のシリコーン微粒子を拡散剤として２００００ｐｐｍ含有する、厚さ２．０ｍｍの拡散板（以下、ＤＰと略記）、厚さ２５０μｍのＰＥＴ基材上に樹脂ビーズとバインダーが塗工された拡散シート（以下、ＤＳと略記）、厚さ２５０μｍのＰＥＴ基材上に頂角９０度、ピッチ５０μｍのプリズム条列がＵＶ硬化性樹脂によって賦形されたプリズムシート（以下、プリズムシートと略記）、反射型偏光シート（以下、ＤＢＥＦと略記。３Ｍ社製）を用いた。
【００７７】
また、実施例５及び実施例６、比較例１０及び比較例１１については、光源ユニットの光源として、ＣＲＥＥ社製の３．５ｍｍ角、高さ２．０ｍｍの白色ＬＥＤ光源を用いた。前記光源の中心間距離をｘ軸方向、ｙ軸方向に２４．０ｍｍとして１０列ずつ、格子状に並べて配置し、光源ユニットを作製した。輝度及び輝度むらは、コニカミノルタ製の２次元色彩輝度計（ＣＡ２０００）を使用し、光源ユニットから７０ｃｍ離して設置し、光源ユニットの中心部１２０ｍｍ×１２０ｍｍの範囲で測定した平均輝度値を輝度とした。
【００７８】
輝度むらは、ｘ軸方向及びｙ軸方向の２方向について算出した値の平均値とした。まず、ｘ軸（１２０ｍｍ）方向の平均輝度値を求め、ｙ軸方向について、各々の点の輝度値を各々の点から±１２ｍｍ分の輝度平均値で割り返した値の標準偏差として輝度むらを求めた。同様に、ｙ軸（１００ｍｍ）方向の平均輝度値を求め、ｘ軸方向について、各々の点の輝度値を各々の点から±１２ｍｍ分の輝度平均値で割り返した値の標準偏差として輝度むらを求めた。最後に、ｘ軸方向の標準偏差とｙ軸方向の標準偏差を平均した値を、光源ユニットの輝度むらとした。なお、ＬＥＤ光源は点光源であるので、図２のように、ｘ軸及びｙ軸上において、それぞれ拡散角度の分布を考えた。
ここで、輝度むらの判定基準を下記のように３段階（◎、○、×）に分類した。
◎：Ｓ．Ｄ．  ≦０．００２
○：０．００２＜Ｓ．Ｄ．  ≦０．００４
×：０．００４＜Ｓ．Ｄ．
【００７９】
（実施例５）
図８（ｇ）に示すように、光源上方にＤＰ、本発明の拡散シート、ＤＳ、プリズムシート、ＤＢＥＦと、をこの順で配置し、実施例５の光源ユニットを構成した。本発明の拡散シートは、拡散角度の最大値が７０°、拡散角度の最小値が１０°で、拡散角度差が６０°であり、図４（ｂ）に示すように、拡散角度が滑らかに変化しているような拡散シートを、凹凸面が出光面となるように用いた。ここで、ＲＳとＤＰの入光面との距離ｈを１６．０ｍｍとした。実施例５の光源ユニットにおける輝度を測定し、輝度むらを上記の方法で算出した。その結果を下記表４に示す。
【００８０】
（実施例６）
図８（ｇ）に示すように、光源上方にＤＰ、本発明の拡散シート、ＤＳ、プリズムシート、ＤＢＥＦと、をこの順で配置し、実施例６の光源ユニットを構成した。本発明の拡散シートは、拡散角度の最大値が５０°、拡散角度の最小値が５°で、拡散角度差が４５°であり、図４（ｂ）に示すように、拡散角度が滑らかに変化しているような拡散シートを、凹凸面が入光面となるように用いた。ここで、ＲＳとＤＰの入光面との距離ｈを１６．０ｍｍとした。実施例６の光源ユニットにおける輝度を測定し、輝度むらを上記の方法で算出した。その結果を下記表４に併記する。
【００８１】
（比較例１０）
図８（ｇ）に示すように、光源上方にＤＰ、表面に干渉露光によるスペックルパターンを用いて形成された凹凸構造を有し、全領域に渡って拡散角度が７０°であるような拡散シート、ＤＳ、プリズムシート、ＤＢＥＦと、をこの順で配置し、比較例１０の光源ユニットを構成した。なお、前記拡散シートは、凹凸面が出光面となるように用いた。ここで、ＲＳとＤＰの入光面との距離ｈを１６．０ｍｍとした。比較例１０の光源ユニットにおける輝度を測定し、輝度むらを上記の方法で算出した。その結果を下記表４に併記する。
【００８２】
（比較例１１）
図８（ｇ）に示すように、光源上方にＤＰ、表面に干渉露光によるスペックルパターンを用いて形成された凹凸構造を有し、全領域に渡って拡散角度が５０°であるような拡散シート、ＤＳ、プリズムシート、ＤＢＥＦと、をこの順で配置し、比較例１１の光源ユニットを構成した。なお、前記拡散シートは、凹凸面が入光面となるように用いた。ここで、ＲＳとＤＰの入光面との距離ｈを１６．０ｍｍとした。比較例１１の光源ユニットにおける輝度を測定し、輝度むらを上記の方法で算出した。その結果を下記表４に併記する。
【表４】
2010210828.tif 000006
【００８３】
表４より、図８（ｇ）に示すＤＰ／拡散シート／ＤＳ／プリズムシート／ＤＢＥＦの構成を持つ光源ユニットにおいて、本発明の拡散シートは、拡散角度が全領域に渡って均一な拡散シート（比較例１０，１１）を用いた構成と比較して、輝度むらを小さくすることができた。さらに、比較例１０、１１の構成において、ＲＳとＤＰとの距離ｈを変化させていくと、ｈ＝３２．０のところで、実施例５，６と同等の輝度むらとなった。実施例５，６では、ｈ＝１６．０であることを考慮すると、比較例１０，１１に比べて、ＲＳからＤＰの入光面までの距離ｈを１６ｍｍ、約半分に短縮することができ、光源ユニットを薄型化できることがわかる。
【００８４】
本発明は上記実施の形態に限定されず、種々変更して実施することが可能である。例えば、上記実施の形態における部材の材質、配置、形状などは例示的なものであり、適宜変更して実施することが可能である。その他、本発明の範囲を逸脱しない限りにおいて適宜変更して実施することが可能である。
【産業上の利用可能性】
【００８５】
本発明は、液晶表示装置のような表示デバイスの拡散シートに有効である。
【符号の説明】
【００８６】
１，３  高拡散角度領域
２，４  低拡散角度領域
１１  ＣＣＦＬ（冷陰極管）
１２  ＬＥＤ（発光ダイオード）
１３  反射シート
１４  拡散板
１５  拡散シート
１６  レンズシート
１７  プリズムシート
１８  反射型偏光シート
【図３】
2010210828.tif 000007
【図４】
2010210828.tif 000008
【図５】
2010210828.tif 000009
【図７】
2010210828.tif 000010
【図８（ａ）（ｂ）（ｃ）（ｄ）】
2010210828.tif 000011
【図８（ｅ）（ｆ）（ｇ）】
2010210828.tif 000012
【図９】
2010210828.tif 000013
【図１】
2010210828.tif 000014
【図２】
2010210828.tif 000015
【図６】
2010210828.tif 000016